(57)【要約】    【課題】斬新的な布地で形成した花弁を備えた簡易帯とする。    【解決手段】絵柄を備えた帯布１の外側面２に帯飾り部材を装着可能な装着部材４をやや縦位置に固着し、外面側の一端に第１面ファスナー５を配設するとともにこの帯布１他端の折り返し部を形成する端縁に第２面ファスナー６を配置し、この帯布内側面に前記第１の面ファスナーに係合してこの帯布１を巻き締め固着する細長い幅の第３の面ファスナー７と前記装着部材４の近傍に前記折り返し部の第２の面ファスナー６に係合する第４の面ファスナー８を配置し、この第２の面ファスナー６部分を内側に折り込んで内側面３の第４の面ファスナー８とを係着し、前記装着部材内に帯飾り部材９を挿着する簡易帯の構成である。【選択図】        図１
0003106020.tif 000002
【実用新案登録請求の範囲】
【請求項１】
絵柄を備えた帯布の外側面に帯飾り部材を装着可能な装着部材をやや縦位置に固着し、外面側の一端に第１面ファスナーを配設するとともにこの帯布他端の折り返し部を形成する端縁に第２面ファスナーを配置し、この帯布内側面に前記第１の面ファスナーに係合してこの帯布を巻き締め固着する細長い幅の第３の面ファスナーと前記装着部材の近傍に前記折り返し部の第２の面ファスナーに係合する第４の面ファスナーを配置し、この第２の面ファスナー部分を内側に折り込んで内側面の第４の面ファスナーとを係着し、前記装着部材内に帯飾り部材を挿着することを特徴とする簡易帯。
【請求項２】
前記装着部材が筒状で前記帯布の外側面に傾斜して固着し、この装着部材内に花弁に似せて造った帯飾り部材を挿着してなることを特徴とする請求項１に記載の簡易帯。
【請求項３】
前記装着部材内面に複数の面ファスナーを縦に配列し、他方帯飾り部材の挿入部分の周面に面ファスナーを巻き付けてなり、前記装着部材に帯飾り部材の挿入部を装着して両者を面ファスナーによって固着したことを特徴とする請求項１又は請求項２に記載の簡易帯。
【請求項４】
前記帯飾り部材が布地によって形成したことを特徴とする請求項１乃至請求項３に記載のいずれか１つの簡易帯。
【考案の詳細な説明】
【技術分野】
【０００１】
本考案は、振袖、浴衣などの和服を着用した人体の胴体に巻回して締着する簡易帯に関する。
【背景技術】
【０００２】
和服の着付けは難しく一人で着用するのが困難であった。そのため古くから種々の一人で簡易に締め付ける帯が開発されている。
太鼓部を固着してある帯状の長布の表裏両面の所定の位置に面ファスナーを配置し、この長布を人間の胴回りに一巻してそれぞれの面ファスナーを係合して軽装和服の帯として使用することが知られている。（特許文献１、特許文献２及び特許文献３において知られている。）
【０００３】
【特許文献１】実公平６−１９５２９号公報図１
【特許文献２】特許第３０４２６８７号公報図１
【特許文献３】実用新案登録第３０５６９７１号公報図１
【０００４】
特許文献１、特許文献２、特許文献３に記載される考案は、いずれも両側に羽根を張り出した太鼓部の帯である。このような帯では従来の形態とあまり変わらず、従来の延長上のものであった。特に、特許文献２の形態は、太鼓部が面ファスナーにより着脱できる形態である。しかし面ファスナーの位置が帯を締め付けるには折り目が無いために長時間の着用にはゆるくなるおそれがあった。
【考案の開示】
【考案が解決しようとする課題】
【０００５】
本考案は、従来の太鼓部の形状にとらわれない帯飾りを提供するものである。
本考案の課題は、斬新的な布地で形成した花弁を太鼓部にあしらった簡易帯を提供することである。
本考案の課題は、簡易な帯であって太鼓部に種々の形態の花弁を装着できる簡易帯を提供することである。
【課題を解決するための手段】
【０００６】
本考案の前記課題は、次のような構成によって達成することができる。
絵柄を備えた帯布の外側面に帯飾り部材を装着可能な装着部材をやや縦位置に固着し、外面側の一端に第１面ファスナーを配設するとともにこの帯布他端の折り返し部を形成する端縁に第２面ファスナーを配置し、この帯布内側面に前記第１の面ファスナーに係合してこの帯布を巻き締め固着する細長い幅の第３の面ファスナーと前記装着部材の近傍に前記折り返し部の第２の面ファスナーに係合する第４の面ファスナーを配置し、この第２の面ファスナー部分を内側に折り込んで内側面の第４の面ファスナーとを係着し、前記装着部材内に帯飾り部材を挿着する簡易帯の構成である。
【０００７】
本考案の前記課題は、前記装着部材が筒状で前記帯布の外側面に傾斜して固着し、この装着部材内に花弁に似せて造った帯飾り部材を挿着してなる構成、及び前記装着部材内面に複数の面ファスナーを縦に配列し、他方帯飾り部材の挿入部分の周面に面ファスナーを巻き付けてなり、前記装着部材に帯飾り部材の挿入部を装着して両者を面ファスナーによって固着した構成によって達成できる。
【考案の効果】
【０００８】
本考案の簡易帯は、装着部に着脱可能な太鼓部が形成されるから、種々の花弁が一種類に限定されることなく着用した着物地の絵柄に応じた花弁を装着することが出来るから環境や着用する場所に応じた花弁体が装着することができる。
本考案の簡易帯は浴衣など軽装着物に限らず、振袖着物などを着用した展示会場などのマネキンなどの帯として使用することができる。
【考案を実施するための最良の形態】
【０００９】
本考案の簡易帯について図面に示す実施の形態に基づいて説明する。
図１は本考案簡易帯の一実施形態の外側面図である。図２は図１の裏面図である。図３は本考案簡易帯の他の実施形態の外側面図である。図４は図３の裏面図である。図５は本考案簡易帯の太鼓部の実施形態の部分説明図である。図６は本考案簡易帯の他の実施形態の部分拡大図である。図７は本考案の装飾体の実施形態の展開図である。図８は本考案の簡易帯に装着する花弁の実施形態の斜視図である。図９は本考案簡易帯の１実施形態の斜視図である。図１０は本考案簡易帯の使用した状態を示す使用状態説明図である。
【００１０】
図１に示されるように本考案簡易帯の本体１の中央部分（図面に示す実施形態では）の太鼓部に帯飾りを装着する円筒状の装着部材４を固着してある。この装着部材４の内面には面ファスナー４ａが縦に配列して接着してある（図７参照）。この装着部材４の表面は帯地と同じ絵柄模様を備えており、硬めの芯材で形成されている。一方簡易帯１の固着部にも同じ芯材が配置され、本体１を挟着してピン留めして、前記装着部材４が固着してある。これによってこの固着部は本体1に強固に固着される。
【００１１】
この装着部材４の円筒内に挿入する帯飾り部材としては種々の花弁に類似して形に布地を折り込んだ花弁９である（図８参照）。この花弁９の下端の装着部分は面ファスナー１０を周回巻締めてある。この面ファスナー１０と装着部材４の面ファスナー４ａとが係着することによって花弁９は強固に固着される。この花弁９は本体１と同じ絵柄の布地で型造りすると全体のバランスがよい。
【００１２】
簡易帯の本体１の外側面には絵柄模様が施されている。この絵柄もようと同じ柄の布地によって装着部材４を円筒状に形成してある。この本体１の外側面の端に第１の面ファスナー５が接着してあり、他端側は折り曲げて裏地が表面に出るようになっている。この角度は特定しないが胴体に巻き締め付けた時は前面に斜め模様に呈するから好ましい外観を呈する角度で折り曲げるとよい（図１０ａ参照）。この折り曲げ部分の外側面には折り込んだときに本体１の第４の面ファスナー８に係合するようになっている。第１の面ファスナー５は内側面に設けた第３の面ファスナー７に係合して本体１が胴体に締め付けられるようになっている。
【００１３】
図４に示す実施形態は、図３において装着部材４が右側に傾斜した状態図である。この実施形態では外側面に配置した第１の面ファスナー５が幅広く太く配設してあり、内側の第３の面ファスナー７に係合するようになっている。この固着位置は調節できる。一方、折り込んだ外側面の第２の面ファスナー６は装着部材４の位置近辺に設けた第４の面ファスナー８に係着するように本体１を胴体に巻いたときに位置しており、この第２の面ファスナー６部分を内側に折り込んで係着させる。
【００１４】
図５は装着部材４の複数個を太鼓部に固着した実施形態を示すもので、円筒の装着部材４を３個並べたものである。これは２個でも良く、間隔を配置してあってもよい。これら装着部材４に異なる花弁９を挿着するようにしてもよい。この装着部材４の形状は円筒に限らず図６に示されるように三角形、四角形、多角形でもよい。大事なことは花弁９が着用時に脱落することなく、確実に装着できるように固着することである。
この形状は図面に示すように円錐状に限定されることなく、太鼓部に帯飾りが取り付けられるようになっていればよい。
【図面の簡単な説明】
【００１５】
【図１】本考案簡易帯の一実施形態の外側面図である。
【図２】図１の裏面図である。
【図３】本考案簡易帯の他の実施形態の外側面図である。
【図４】図３の裏面図である。
【図５】本考案簡易帯の太鼓部の実施形態の部分説明図である。
【図６】本考案簡易帯の他の実施形態の部分拡大図である。
【図７】本考案の装飾体の実施形態の展開図である。
【図８】本考案の簡易帯に装着する花弁の実施形態の斜視図である。
【図９】ｈ本考案簡易帯の１実施形態の斜視図である。
【図１０】本考案簡易帯の使用した状態を示す使用状態説明図である。
【符号の説明】
【００１６】
１      本体
２      外側面  
３      内側面
４      装着部材
５      第１の面ファスナー
６      第２の面ファスナー
７      第３の面ファスナー
８      第４の面ファスナー
９      花弁  
１０    面ファスナー
【図１】
0003106020.tif 000003
【図２】
0003106020.tif 000004
【図３】
0003106020.tif 000005
【図４】
0003106020.tif 000006
【図５】
0003106020.tif 000007
【図６】
0003106020.tif 000008
【図７】
0003106020.tif 000009
【図８】
0003106020.tif 000010
【図９】
0003106020.tif 000011
【図１０】
0003106020.tif 000012
【手続補正書】
【提出日】平成16年6月18日(2004.6.18)
【手続補正１】
【補正対象書類名】明細書
【補正対象項目名】００１０
【補正方法】変更
【補正の内容】
【００１０】
図１に示されるように本考案簡易帯の本体１の中央部分（図面に示す実施形態では）の太鼓部に帯飾りを装着する円筒状の装着部材４を固着してある。この装着部材４の内面には面ファスナー４ｄが縦に配列して接着してある（図７参照）。この装着部材４の表面は帯地と同じ絵柄模様を備えており、硬めの芯材で形成されている。一方簡易帯１の固着部にも同じ芯材が配置され、本体１を挟着してピン留めして、前記装着部材４が固着してある。これによってこの固着部は本体1に強固に固着される。
【手続補正２】
【補正対象書類名】明細書
【補正対象項目名】００１１
【補正方法】変更
【補正の内容】
【００１１】
この装着部材４の円筒内に挿入する帯飾り部材としては種々の花弁に類似して形に布地を折り込んだ花弁９である（図８参照）。この花弁９の下端の装着部分は面ファスナー１０を周回巻締めてある。この面ファスナー１０と装着部材４の面ファスナー４ｄとが係着することによって花弁９は強固に固着される。この花弁９は本体１と同じ絵柄の布地で型造りすると全体のバランスがよい。
【手続補正３】
【補正対象書類名】明細書
【補正対象項目名】００１４
【補正方法】変更
【補正の内容】
【００１４】
図５は装着部材４の複数個を太鼓部に固着した実施形態を示すもので、円筒の装着部材４を３個（４,４ａ,４ｂ）並べたものである。これは２個でも良く、間隔を配置してあってもよい。これら装着部材４に異なる花弁９を挿着するようにしてもよい。この装着部材４の形状は円筒に限らず図６に示されるように三角形、四角形、多角形（４ｃ）でもよい。大事なことは花弁９が着用時に脱落することなく、確実に装着できるように固着することである。
この形状は図面に示すように円錐状に限定されることなく、太鼓部に帯飾りが取り付けられるようになっていればよい。
【手続補正４】
【補正対象書類名】図面
【補正対象項目名】図７
【補正方法】変更
【補正の内容】
【図７】
0003106020.tif 000013
【手続補正５】
【補正対象書類名】図面
【補正対象項目名】図８
【補正方法】変更
【補正の内容】
【図８】
0003106020.tif 000014
【手続補正６】
【補正対象書類名】図面
【補正対象項目名】図９
【補正方法】変更
【補正の内容】
【図９】
0003106020.tif 000015
【手続補正７】
【補正対象書類名】図面
【補正対象項目名】図１０
【補正方法】変更
【補正の内容】
【図１０】
0003106020.tif 000016